(57)【要約】【課題】エレベータ装置を運転することにより、トイレ利用者にトイレの空き状況を調べる労力を課すことをせずに、トイレ利用者を空きトイレのある階へ移動させる。【解決手段】エレベータ装置の運転方法は、トイレ釦が押されたことを検出するステップと、情報変換装置のトイレ情報を自動的に検索し、トイレ空き階を自動的に登録するステップと、乗りかごを最寄のトイレ空き階に向けて移動させるステップとを有する。このエレベータ装置の運転方法により、利用者は、トイレ釦を用いてトイレ使用の意思を示すことにより、乗りかごによりトイレ空き階に自動的に移動することができる。【選択図】図１
2010018405.tif 000002
【特許請求の範囲】
【請求項１】
トイレ釦が押されたことを検出するステップと、
情報変換装置のトイレ情報を自動的に検索し、トイレ空き階を自動的に登録するステップと、
乗りかごを最寄のトイレ空き階に向けて移動させるステップと、
を有することを特徴とするエレベータ装置の運転方法。
【請求項２】
前記トイレ釦は、ホール側トイレ釦であり、前記ホール側トイレ釦が押された階を、前記乗りかごの行先階として登録するステップと、
前記乗りかごを、乗りかごの行先階として登録された前記ホール側トイレ釦が押された階に移動させるステップと、
前記ホール側トイレ釦が押された階で、乗りかごの乗降扉を開にするステップと、
前記乗りかごの乗降扉の開を検出して、前記登録されているトイレ空き階を自動的に検索し、最寄のトイレ空き階を行先階として自動的に登録するステップと、
を、更に含むことを特徴とする、請求項１記載のエレベータ装置の運転方法。
【請求項３】
前記トイレ釦が乗りかご内トイレ釦を更に含み、前記乗りかご内トイレ釦が押されたことを検出するステップと、
前記乗りかご内トイレ釦が押されたことを検出すると、前記登録されているトイレ空き階を自動的に検索し、最寄のトイレの空き階を行先階として自動的に登録するステップと、
を含むことを特徴とする請求項１又は２に記載のエレベータ装置の運転方法。
【請求項４】
前記トイレ釦が押されることに応答して前記乗りかごの行先階として前記トイレ空き階が登録される前に、前記乗りかごの行先階が既に登録されている場合は、
前記乗りかごを前記トイレ釦が押されることに応答して、前記トイレ空き階に移動させる途中に、前記乗りかごを、前記既に登録されている乗りかごの行先階に停止させて乗降扉の開閉を行うステップを、
更に含むことを特徴とする、請求項１〜３のいずれか１項に記載のエレベータ装置の運転方法。
【請求項５】
トイレに設置された人体検知センサからの信号を変換してトイレの利用情報を作成することを特徴とする請求項１〜４のいずれか１項記載のエレベータ装置の運転方法。
【請求項６】
前記トイレ釦が押されて、前記乗りかごの行先階として最寄のトイレ空き階が登録されると、それ以降の前記乗りかごの行先階を新たに登録することを禁止するステップを、
更に含むことを特徴とする請求項１〜５のいずれか１項に記載のエレベータ装置の運転方法。
【請求項７】
昇降路内を昇降又は停止して、乗客を乗せ、ホール間で乗客を移動させる乗りかごと、
ホールに設置されたホール側トイレ釦と、
トイレに設置された人体検知センサと、
前記人体検知センサからの信号により、トイレ利用情報を作成する情報変換装置と、
前記の乗りかごの運転を制御する制御装置と、を備え、
前記制御装置は、
前記ホール側トイレ釦が押されたことを検出することにより、前記乗りかごを前記トイレ釦が押された階に移動させ、
前記乗りかごの乗降扉の開を検出し、前記情報変換装置のトイレ情報を検索してトイレ空き階を自動的に登録し、
前記乗りかごを前記登録された最寄のトイレ空き階に向けて移動させることを、
を特徴とするエレベータ装置。
【請求項８】
前記乗りかご内に設置された乗りかご内トイレ釦を更に有し、
前記制御装置は、前記乗りかご内トイレ釦が押されたことを検出すると、前記情報変換装置のトイレ情報を自動的に検索して前記トイレ空き階を自動的に登録し、前記乗りかごを前記登録された最寄のトイレ空き階に向けて移動させる、
ことを特徴とする請求項７に記載のエレベータ装置。
【発明の詳細な説明】
【技術分野】
【０００１】
本発明は、空きトイレを検索することにより、利用者を空きトイレ階に移動させることができるエレベータ装置及びエレベータ装置の運転方法に関する。
【背景技術】
【０００２】
一般に、エレベータを利用する際にはホールに設置されているホール釦を押して、エレベータを呼び寄せる。かご内には、行先階を登録するための行先階釦を有する操作盤が設置され、乗客は目標の階の行先階釦を操作することにより、エレベータは行先階へ移動する。
【０００３】
ビル等に設置されるエレベータにおいて、各階毎に入っているテナントの情報やトイレの設置階等をかご内に案内表示することにより、乗客が目的階を選び易くすることが提案されている。特許文献１は、それらの１例として、行先階釦を押すことにより、その階の情報や関連する情報を優先的に利用者へ提供するエレベータの表示案内装置を提案している。
【０００４】
【特許文献１】特開平０３−２６７２８１号公報
【発明の開示】
【発明が解決しようとする課題】
【０００５】
しかしながら、トイレの使用状況は短い時間で大きく変動するものである。また、トイレの使用は、プライバシー関するものである。このため、エレベータ装置の乗りかご及び／又は各階のホールにおいて、トイレの使用状況を案内表示することには、困難を伴う。
【０００６】
他方、デパート等の公衆施設や中小規模のビルにおいて、トイレの数がビル利用者の数に対して不足する場合があり、トイレを利用したい時にトイレが混雑していることがある。そのため、利用者が、空きトイレを探すために実際に他階の空きトイレを探すことが必要となり、利用者に多大の負担をしいるという問題があった。
【０００７】
このような解決すべき課題に鑑み、本発明は、トイレ利用者にトイレのある階、トイレの空き状況を調べる労力をしいることなく、エレベータ装置の乗りかごを空きトイレのある階へ移動させることができる、エレベータ装置及びエレベータ装置の運転方法を提供することを目的としている。
【課題を解決するための手段】
【０００８】
上記課題を解決するために、本発明のエレベータ装置の運転方法は、トイレ釦が押されたことを検出するステップと、情報変換装置のトイレ情報を自動的に検索し、トイレ空き階を自動的に登録するステップと、乗りかごを最寄のトイレ空き階に向けて移動させるステップと、を有する。
【０００９】
本発明のエレベータ装置の運転方法の好ましい形態は、前記トイレ釦がホール側トイレ釦を含み、前記ホール側トイレ釦が押されたことを検出するステップと、前記ホール側トイレ釦が押された階を、乗りかごの行先階として登録するステップと、前記乗りかごを、乗りかごの行先階として登録された前記ホール側トイレ釦が押された階に、移動させるステップと、前記ホール側トイレ釦が押された階で、乗りかごの乗降扉を開にするステップと、乗りかごの乗降扉を開にすることにより、制御装置が、トイレの利用情報を自動的に検索し、最寄のトイレの空いている階を行先階として自動的に登録するステップと、前記乗りかごを、最寄の登録されたトイレ空き階に移動させるステップと、を有する。
【００１０】
また、本発明のエレベータ装置の運転方法の更に好ましい形態は、前記トイレ釦が乗りかご内トイレ釦を更に含み、前記乗りかご内トイレ釦が押されたことを検出するステップと、前記乗りかご内トイレ釦が押されたことを検出すると、制御装置が、トイレの利用情報を自動的に検索し、最寄のトイレの空いている階を行先階として自動的に登録するステップと、前記乗りかごを、登録された最寄のトイレの空いている階に移動させるステップと、を有する。
【００１１】
また、本発明のエレベータ装置は、昇降路内を昇降又は停止して、乗客を乗せ、ホール間で乗客を移動させる乗りかごと、ホールに設置されたホール側トイレ釦と、トイレに設置された人体検知センサと、前記人体検知センサからの信号により、トイレ利用情報を作成する情報変換装置と、前記ホール側トイレ釦が押されたことを検出することにより、前記乗りかごを前記トイレ釦が押された階に移動させ、前記乗りかごの乗降扉の開を検出し、前記情報変換装置のトイレ情報を自動的に検索し、トイレ空き階を自動的に登録し、前記乗りかごを最寄の登録されたトイレ空き階に向けて移動させる制御装置と、を有することを特徴とする。
【００１２】
更に、本発明のエレベータ装置の好ましい形態は、乗りかご内に設置された乗りかご内トイレ釦を更に有し、前記制御装置が、前記乗りかご内トイレ釦が押されたことを検出することにより、前記情報変換装置のトイレ情報を自動的に検索し、トイレ空き階を自動的に登録し、前記乗りかごを最寄の登録されたトイレ空き階に向けて移動させる。
【発明の効果】
【００１３】
本発明のエレベータ装置及びその運転方法によれば、トイレ利用者に過度の負担を課すことがなく、空きトイレがある階を検索して空きトイレがある階を乗りかごの行先階として自動的に登録することができる。そして、トイレ利用者を空きトイレがある階に迅速に移動させることができるという作用効果がある。
【発明を実施するための最良の形態】
【００１４】
以下、本発明を図面に基づき説明する。
図１は、本発明のエレベータ装置の構成を示す図である。本発明のエレベータ装置は、各階のホールの間で乗客を移動させるエレベータ乗りかご１と、エレベータ乗りかご１の昇降又は停止を制御する制御装置８と、制御装置８と接続され、トイレ利用情報を収集して、制御装置８に出力する情報変換装置１０とを有する。乗りかご１は、巻上げ機７に連結されて、昇降路内を昇降又は停止するようになっている。
【００１５】
エレベータ装置の乗りかご１内には、乗りかご内操作盤２が設置され、各階のホールには、ホール用操作盤４が設置されている。乗りかご内操作盤２は、例えば、行先階を登録するための行先階釦３ａと、乗降扉の開閉時にそれぞれ乗降扉の開閉をするための乗降扉開閉釦３ｂのほかに、乗りかご内の利用者のトイレ使用の意思を登録する乗りかご内トイレ釦９ａが設けられている。
【００１６】
また、ホール用操作盤４は、それぞれの階のホールに乗りかご１を呼ぶためのホール釦５のほかに、ホールにいる利用者が、そのトイレ使用の意思を登録するためのホール側トイレ釦９ｂが設けられている。
【００１７】
乗りかご内操作盤２とホール用操作盤４とは、制御装置８に接続されており、利用者の釦操作は、制御装置８に登録されるようになっている。なお、乗りかご内操作盤２は、通信機器及びマイクロコンピュータ等を備えており、乗りかご１の動作を制御する乗りかご上制御装置６に接続されている。そして、この乗りかご上制御装置６を介して、制御装置８に接続されるようにしても良い。
【００１８】
制御装置８は、ＣＰＵ（中央処理装置）８ａ、ＲＡＭ、ＲＯＭ等を有し、ＣＰＵ８ａの制御の下でエレベータ装置の運転情報を記憶する記憶装置８ｂと、ＣＰＵ８ａの制御の下で乗りかご１の運転を制御する運転制御システム８ｃとを有している。このＣＰＵ（中央処理装置）８ａと記憶装置８ｂは、制御装置８内で制御装置内のマイクロプロセッサ８ｈ（以下、ＭＰＵと称す）として構成しても良い。
【００１９】
エレベータの制御は、例えば、ホール側に設けられるホールボタン５や乗りかご1内に備える行先階ボタン３ａが利用者によって押下されることにより、行先階が登録される。そして、行先階が登録されると、制御装置８内のＣＰＵ８ａにより起動信号、停止信号、上昇信号、下降信号、速度指令等が生成される。これらの信号に基づいて運転制御システム８ｃが巻き上げ機７の制御を行い、乗りかご１が登録された行先階に移動される。
【００２０】
図２は、情報変換装置１０の構成を示す図である。情報変換装置１０は、トイレ内に設置されるトイレ内人体検知センサ１２ａ〜１２ｎに接続されている。トイレ内人体検知センサ１２ａ〜１２ｎとしては、例えば、赤外線センサが使用される。
【００２１】
トイレ内人体検知センサ１２ａ〜１２ｎからの情報は、情報変換装置１０の人体検知センサ入力部１１ａに入力される。入力された人体検知センサ１２ａ〜１２ｎからの情報は、演算部１１ｂでトイレ利用情報に変換され、トイレ利用情報は、トイレ利用情報出力部１１ｃから制御装置８に出力される。なお、情報変換装置１０内の記憶装置（図示せず）にトイレ利用情報を記憶した後に、制御装置８に出力するようにしても良い。
【００２２】
図３は、本発明の実施の形態例示した図であり、ホール側トイレ釦が押されたときのトイレ優先運転を説明するフローチャートである。
以下、複数台のエレベータ乗りかごを、１つのグループとして群管理で運転する群管理エレベータを例として、本発明の実施の形態例について説明する。まず最初に、乗りかご１を空きトイレがある階へ移動させることを優先する「トイレ優先運転」について説明する。
【００２３】
ホール側トイレ釦９が押されると（ステップＳ３０１）、そのエレベータの乗りかご１は、乗りかごを空きトイレがある階へ移動させることを優先する「トイレ優先運転エレベータ」となり、ホール側トイレ釦９が押された登録階に向けて移動する（ステップＳ３０２）。
【００２４】
そして、乗りかご１が、ホール側トイレ釦９が押された登録階に向けて移動する間に、ホール呼び（ホール側釦による行先階指定）が既に登録がされているか、あるいは新たなホール呼び登録がされたか否を判断する（ステップＳ３０３）。
【００２５】
ホール呼びが既に登録がされている場合は、そのホール呼び登録を他のエレベータかごに再割り当てし、新たなホール呼びの登録がされた場合は、新たなホール呼び登録を他のエレベータかごに割り当てる。なお、ここで新たなホール呼び登録を割り当てる乗りかごが不足する場合は、新たなホール呼び登録を受け付けないようにしても良い。エレベータ乗りかご内で既に登録された行先階登録については、トイレ釦９ｂが押された登録階に向けて移動する途中で、その既に登録された行先階に立ち寄り、乗客を降ろす（ステップＳ３０４）。
【００２６】
トイレ釦が押される前に登録された乗りかごの運転が完了すると、乗りかごはトイレ釦９ｂが押された階に直行する（ステップＳ３０５）。
【００２７】
トイレ釦９ｂの押された階に到着すると（ステップＳ３０６）、情報変換装置１０のトイレ利用情報を検索することにより、最寄の空きトイレを有する階を自動的に行先階として登録する（ステップＳ３０７）。この際、かご内に設置された案内表示器により、エレベータがトイレ優先運転中であること表示するようにしても良い。
【００２８】
また、トイレの使用状態は、短時間で大きく変化する。このため、トイレ釦９ｂが利用者によって押されたときだけではなく、乗りかごがトイレ釦９ｂの押された階に到着したときにも、トイレ利用情報を自動的に検索する。これにより、最新のトイレ利用情報に基づいて、最寄の空きトイレを有する階を自動的に行先階として登録することができる。
【００２９】
乗降扉が閉じると、登録された空きトイレ階へ直行運転を行う（ステップＳ３０８）。そして、空きトイレ階に到着すると（ステップＳ３０９）、トイレ利用客を降ろし、エレベータの乗りかごは通常運転に復帰し、新たなホール呼び登録が可能になる（ステップＳ３１０）。
【００３０】
通常、ホール側トイレ釦９ｂが押されると、複数台の乗りかごから、乗りかご内行先階呼び及びホール呼び登録がされていないエレベータ乗りかごが選ばれる。そして、そのエレベータがトイレ優先運転エレベータとなり、乗りかごの運転制御が行われる。
【００３１】
図４は、本発明の他の実施形態例を示すフローチャートである。図４のフローチャートに基づいて、乗りかご内のトイレ釦９ａが押された場合のトイレ優先運転について説明する。
【００３２】
乗りかご内のトイレ釦９ａが押されると（ステップＳ４０１）、そのエレベータは「トイレ優先運転エレベータ」となり、情報変換装置１０のトイレ利用情報から、最寄の空きトイレを有する階を検索する。そして、この最寄の空きトイレを有する階を自動的に行先階として登録し、登録された最寄の空きトイレを有する階に向けて乗りかご１を移動する（ステップＳ４０２）。
【００３３】
次に、登録された最寄の空きトイレを有する階に向けて乗りかご１を移動する途中で、乗りかご内のトイレ釦９ａが押される前に、行先階が既に登録されているか否か判断する（ステップＳ４０３）。乗りかご内の既に登録された行先階登録については、登録された最寄の空きトイレを有する階に乗りかご１移動する途中で、既に登録された行先階に立ち寄り、乗客を降ろす（ステップＳ４０４）。
【００３４】
そして、乗客を降ろした後に、乗りかごは登録された最寄のトイレ階に直行する。乗りかご内で、トイレ釦９ｂが押される前に行先階が登録されていない場合は、トイレ釦９ｂが押された直後から登録された最寄のトイレ階への直行を開始する（ステップＳ４０５）。
【００３５】
登録された最寄の空きトイレを有する階に到着する（ステップＳ４０６）と、トイレ利用客を降ろし、エレベータかごは通常運転に復帰し、新たなホール呼び登録が可能になる（ステップＳ４０７）。
【００３６】
以上述べたように、本発明のエレベータ装置及びエレベータ装置の運転方法は、トイレの利用情報を検索することにより、エレベータ利用者が空いているトイレを調べること無く、利用者を乗りかごにより迅速に空きトイレを有する階に移動させることができる。
【図面の簡単な説明】
【００３７】
【図１】本発明のエレベータ装置を示す図である。
【図２】本発明の情報変換装置の構成を示す図である。
【図３】ホール側トイレ釦が押された場合のトイレ優先運転のフローチャートを示す図である。
【図４】乗りかご内でトイレ釦が押された場合のトイレ優先運転のフローチャートを示す図である。
【符号の説明】
【００３８】
１…乗りかご、２…乗りかご内操作盤、３ａ…行先階釦、３ｂ…乗降扉開・閉釦、４…ホール用操作盤、５…ホール釦、６…かご上制御装置、７…巻上げ機、８…制御装置、８ａ…ＣＰＵ、８ｂ…記憶装置、８ｃ…運転制御システム、８ｈ…マイクロプロセッサ、９ａ…乗りかご内トイレ釦、９ｂ…ホール側トイレ釦、１０…情報変換装置、１１ａ…人体検知センサ入力部、１１ｂ…演算部、１１ｃ…トイレ利用情報出力部、１２ａ〜１２ｎ…トイレ内人体検知センサ
【図１】
2010018405.tif 000003
【図２】
2010018405.tif 000004
【図３】
2010018405.tif 000005
【図４】
2010018405.tif 000006